(57)【要約】【課題】伝送すべき信号の成分を適切にアップコンバートすることができるミリ波送信モジュール、ミリ波送信装置、およびそのようなミリ波送信装置から送信された信号を受信するミリ波受信装置を提供する。【解決手段】ミリ波送信モジュール４は、基準信号を逓倍した逓倍基準信号を生成するＭ逓倍型マルチプライア３６と、逓倍基準信号に基づいて、基準信号によって周波数変換された中間周波数信号をミリ波帯へアップコンバートするミリ波帯ミキサ３２ａと、逓倍基準信号に基づいて、基準信号をミリ波帯へアップコンバートするミリ波帯第２ミキサ３２ｂと、ミリ波帯第１ミキサ３２ａおよびミリ波帯第２ミキサ３２ｂでアップコンバ−トされた信号を合成してミリ波多重信号を生成する電力合成器２９とを備える。【選択図】図１
2014022812.tif 000002
【特許請求の範囲】
【請求項１】
基準信号を逓倍した逓倍基準信号を生成する逓倍器と、
前記逓倍基準信号に基づいて、前記基準信号によって周波数変換された中間周波数信号をミリ波帯へアップコンバートするミリ波帯第１ミキサと、
前記逓倍基準信号に基づいて、前記基準信号をミリ波帯へアップコンバートするミリ波帯第２ミキサと、
前記ミリ波帯第１ミキサおよび前記ミリ波帯第２ミキサでアップコンバ−トされた信号を合成してミリ波多重信号を生成するミリ波帯合成部とを備えたミリ波送信モジュール。
【請求項２】
前記ミリ波多重信号の下側波帯をイメージ信号として除去するミリ波バンドパスフィルタを備える、請求項１記載のミリ波送信モジュール。
【請求項３】
前記ミリ波帯第１ミキサおよび前記ミリ波帯第２ミキサは、２次の偶高調波ミキサである、請求項１記載のミリ波送信モジュール。
【請求項４】
基準信号を出力する基準信号源と、
前記基準信号に基づいて、ベースバンド信号を中間周波数信号にアップコンバートするＩＦ帯ミキサと、
前記基準信号源から出力された基準信号を逓倍した逓倍基準信号を生成する逓倍器と、
前記逓倍基準信号に基づいて、前記中間周波数信号をミリ波帯へアップコンバートするミリ波帯第１ミキサと、
前記逓倍基準信号に基づいて、前記基準信号源から出力された基準信号をミリ波帯へアップコンバートするミリ波帯第２ミキサと、
前記ミリ波帯第１ミキサおよび前記ミリ波帯第２ミキサでアップコンバ−トされた信号を合成してミリ波多重信号を生成するミリ波帯合成部とを備えたミリ波送信装置。
【請求項５】
前記ミリ波多重信号の下側波帯をイメージ信号として除去するミリ波バンドパスフィルタを備える、請求項４記載のミリ波送信装置。
【請求項６】
前記ミリ波帯第１ミキサおよび前記ミリ波帯第２ミキサは、２次の偶高調波ミキサである、請求項４記載のミリ波送信装置。
【請求項７】
前記基準信号源から出力された基準信号を増幅し、３分配して前記ＩＦ帯ミキサと、前記逓倍器と、前記ミリ波帯第２ミキサへ供給する増幅分配部を備える、請求項４記載のミリ波送信装置。
【請求項８】
前記ＩＦ帯ミキサから出力される中間周波数信号の下側波帯を通すＩＦ帯バンドパスフィルタを備える、請求項４記載のミリ波送信装置。
【請求項９】
基準信号を出力する基準信号源と、
前記基準信号に基づいて、第１のベースバンド信号を第１の中間周波数信号にアップコンバートするＩＦ帯第１ミキサと、
前記基準信号に基づいて、第２のベースバンド信号を第２の中間周波数信号にアップコンバートするＩＦ帯第２ミキサと、
前記第１の中間周波数信号および前記第２の中間周波数信号を合成するＩＦ帯合成部と、
前記基準信号源から出力された基準信号を逓倍した逓倍基準信号を生成する逓倍器と、
前記逓倍基準信号に基づいて、前記合成された中間周波数信号をミリ波帯へアップコンバートするミリ波帯第１ミキサと、
前記逓倍基準信号に基づいて、前記基準信号源から出力された基準信号をミリ波帯へアップコンバートするミリ波帯第２ミキサと、
前記ミリ波帯第１ミキサおよび前記ミリ波帯第２ミキサでアップコンバ−トされた信号を合成してミリ波多重信号を生成するミリ波帯合成部とを備えたミリ波送信装置。
【請求項１０】
前記ミリ波多重信号の下側波帯をイメージ信号として除去するミリ波バンドパスフィルタを備える、請求項９記載のミリ波送信装置。
【請求項１１】
前記ミリ波帯第１ミキサおよび前記ミリ波帯第２ミキサは、２次の偶高調波ミキサである、請求項９記載のミリ波送信装置。
【請求項１２】
前記基準信号源から出力された基準信号を増幅し、４分配して、前記ＩＦ帯第１ミキサと、前記逓倍器と、前記ミリ波帯第２ミキサと、前記ＩＦ帯第２ミキサへ供給するための複数のアンプを備える、請求項９記載のミリ波送信装置。
【請求項１３】
前記ＩＦ帯第１ミキサから出力される第１の中間周波数信号の下側波帯を通すＩＦ帯第１バンドパスフィルタと、
前記ＩＦ帯第２ミキサから出力される第２の中間周波数信号の下側波帯を通すＩＦ帯第２バンドパスフィルタとを備える、請求項９記載のミリ波送信装置。
【請求項１４】
ミリ波多重信号をダウンコンバートして中間周波数多重信号を生成するミリ波帯ミキサと、
前記中間周波数多重信号から第１の中間周波数信号を出力する第１のフィルタと、
前記中間周波数多重信号から第２の中間周波数信号を出力する第２のフィルタと、
前記中間周波数多重信号から基準信号を出力する第３のフィルタと、
前記基準信号に基づいて、前記第１の中間周波数信号をダウンコンバートして、第１のベースバンド信号を生成するＩＦ帯第１ミキサと、
前記基準信号に基づいて、前記第２の中間周波数信号をダウンコンバートして、第２のベースバンド信号を生成するＩＦ帯第２ミキサとを備えた、ミリ波受信装置。
【発明の詳細な説明】
【技術分野】
【０００１】
本発明は、ミリ波送信モジュール、ミリ波送信装置およびミリ波受信装置に関する。
【背景技術】
【０００２】
近年、情報通信の大容量化に伴い、様々なブロ−ドバンドの無線通信システムが提案されてきている。その中で、放送や通信の分野で、特にミリ波の無線通信が利用されている。ミリ波はビ−ムを鋭く絞ることができるので、軌道上に並んだ衛星間や地上での混信を防ぐことができるとともに、特定のエリアに対して反射や混信の影響が小さく、見通し区間では確実に電波を送ることができる。なお、ここで示すミリ波帯とは、マイクロ波帯も含む周波数帯域である。
【０００３】
従来のミリ波帯の無線通信システムとして、例えば、特許文献１（特開２００３−２５８６５５号公報）では、無線送信機および無線受信機を備えたものが開示されている。
【０００４】
図１９は、特許文献１に記載されたミリ波帯の無線送信機１０００および無線受信機１５００の構成を示す図である。
【０００５】
送信機１０００は、入力部１１００、第１のアップコンバ−ト部１２００、第２のアップコンバ−ト部１３００、および送信アンテナ１４００により構成されている。
【０００６】
第１のアップコンバ−ト部１２００は、入力される変調波信号を中間周波数に周波数変換する部分であり、周波数ミキサ１２０１、フィルタ１２０２、電力合成器１２０３、増幅器１２０４、電力分配器１２０５、基準信号源１２０６、および減衰器１２０７を備えている。
【０００７】
第１のアップコンバ−ト部１２００には、第１のＩＦ信号ＩＦ１が入力される。この信号ＩＦ１は、例えば、直交マルチキャリア変調方式（ＯＦＤＭ変調方式）等で変調された変調波信号である。
【０００８】
周波数ミキサ１２０１は、入力された第１のＩＦ信号ＩＦ１と、基準信号源１２０６から出力される第１のＬＯ信号（ＦＬＯ１）とを乗積する。
【０００９】
次いで、周波数ミキサ１２０１の直後に設けられたフィルタ１２０２は、第１のアップコンバ−ト部１２００から出力される信号の成分のみを主に取り出す。ここで、フィルタ１２０２は、周波数ミキサ１２０１の出力信号のうち上側波帯の信号（ＦＲＦ１）を通過選択させる。
【００１０】
一方、電力分配器１２０５が、基準信号源１２０６が出力した信号（ＦＬＯ１）の一部を分配している。減衰器１２０７は、分配された信号のレベルを調整する。減衰器１２０７から出力された信号（ＦＬＯ１）は、電力合成器１２０３で、信号（ＦＲＦ１）と合成される。
【００１１】
これにより、送信機へ入力された変調波信号から中間周波数信号に変換された信号（ＦＲＦ１）と基準信号となる信号（ＦＬＯ１）との中間周波数多重信号が生成される。この中間周波数多重信号が、アンプ１２０４により増幅され、増幅された中間周波数多重信号が、第２のＩＦ信号ＩＦ２（ＦＬＯ１＋ＦＲＦ１）として、第２のアップコンバ−ト部１３００へ入力される。
【００１２】
第２のアップコンバ−ト部１３００は、入力される信号ＩＦ２をミリ波帯に周波数変換する部分であり、ミキサ１３０１、フィルタ１３０２、アンプ１３０３、および局部発振器１３０４を備えている。
【００１３】
第２のアップコンバ−ト部１３００に、第１のアップコンバ−ト部１２００から出力された信号ＩＦ２が入力されると、ミキサ１３０１は、信号（ＦＲＦ１）と信号（ＦＬＯ１）とを含む中間周波数多重波信号（すなわちＩＦ２）と、局部発振器１３０４から出力される第２のＬＯ信号（ＦＬＯ２）とを乗積し、ミリ波帯へのアップコンバ−トを行なう。
【００１４】
次いで、ミキサ１３０１の直後に設けられたフィルタ１３０２が、アップコンバ−トされた無線多重信号に対して、所望の周波数のみの無線多重信号を通過させる。これにより、無線変調信号成分（ＦＲＦ１＋ＦＬＯ２）と、無線基準信号成分（ＦＬＯ１＋ＦＬＯ２）とを含む無線多重波信号が生成される。この無線多重波信号が、アンプ１３０３により増幅され、増幅された無線多重波信号が送信アンテナ１４００に出力される。
【００１５】
そして、送信アンテナ１４００すなわち送信機１０００から、無線基準信号成分（ＦＬＯ１＋ＦＬＯ２）および無線変調信号成分（ＦＲＦ１＋ＦＬＯ２）から成る無線多重波信号２０００が送信される。
【００１６】
次に、送信機１０００から送信された信号を受信する受信機１５００について説明する。
【００１７】
受信機１５００は、受信アンテナ１６００、第１のダウンコンバ−ト部１７００、および第２のダウンコンバ−ト部１８００により構成されている。受信機１５００は、送信機１０００から送信された信号を受信し、受信した信号を元の変調波信号（ＩＦ１）にダウンコンバ−トする。
【００１８】
受信アンテナ１６００において、送信機１０００の送信アンテナ１４００から送られてきた、基準信号成分（ＦＬＯ１＋ＦＬＯ２）および無線変調信号成分（ＦＲＦ１＋ＦＬＯ２）から成る無線多重波信号２０００が受信される。
【００１９】
第１のダウンコンバ−ト部１７００は、入力される無線多重波信号を中間周波数信号に周波数変換する部分であり、フィルタ１７０１、アンプ１７０２、ミキサ１７０３、アンプ１７０４、および局部発振器１７０５を備えている。
【００２０】
フィルタ１７０１が必要な信号を通過させる。そして、通過した信号をアンプ１７０２が増幅する。次いで、ミキサ１７０３は、局部発振器１７０５からの信号（ＦＬＯ２）で、第１の周波数変換を行う。すなわち、基準信号成分（ＦＬＯ１＋ＦＬＯ２）と無線変調信号成分（ＦＲＦ１＋ＦＬＯ２）とは、中間周波数多重波信号である第２のＩＦ信号ＩＦ２（すなわちＦＬＯ１、ＦＲＦ１）にダウンコンバ−トされる。
【００２１】
これにより、第２のＩＦ信号ＩＦ２（ＦＬＯ１、ＦＲＦ１）が生成される。この第２のＩＦ信号が、アンプ１７０４により増幅され、増幅された信号ＩＦ２が第２のダウンコンバ−ト部１８００に出力される。
【００２２】
第２のダウンコンバ−ト部１８００は、入力される第２のＩＦ信号ＩＦ２を第１のＩＦ信号ＩＦ１に周波数変換する部分であり、分配器１８０１、フィルタ１８０２、フィルタ１８０３、ミキサ１８０４、アンプ１８０５、および出力部１８０６を備えている。
【００２３】
第２のダウンコンバ−ト部１８００に、第２のＩＦ信号ＩＦ２が入力されると、該信号は分配器１８０１で分配される。分配された一方の信号は、信号（ＦＲＦ１）のみが通過できるフィルタ１８０２を介し、ミキサ１８０４に入力される。また、他方の信号は、信号（ＦＬＯ１）のみが通過できるフィルタ１８０３を介し、アンプ１８０５によって増幅された後、ミキサ１８０４に入力される。
【００２４】
ミキサ１８０４は、信号（ＦＲＦ１）と信号（ＦＬＯ１）とを乗積する。これにより、信号（ＦＲＦ１）がダウンコンバ−トされる。すなわち、第１のＩＦ信号ＩＦ１に復調さ
れる。
【００２５】
以上により、受信機１５００では、第１のＩＦ信号ＩＦ１が復調される。この第１のＩＦ信号ＩＦ１は、送信機１０００に入力された第１のＩＦ信号ＩＦ１と同じである。
【先行技術文献】
【特許文献】
【００２６】
【特許文献１】特開２００３−２５８６５５号公報
【発明の概要】
【発明が解決しようとする課題】
【００２７】
しかしながら、特許文献１に記載の送信機１０００は、以下のような問題点を有している。
【００２８】
第１のアップコンバ−ト部１２００から出力された信号ＩＦ２がミキサ１３０１に入力されると、ミキサ１３０１は、信号（ＦＲＦ１）と信号（ＦＬＯ１）とを含む中間周波数多重波信号を、局部発振器１３０４から出力される第２のＬＯ信号（ＦＬＯ２）を用いて、無線周波数帯へアップコンバ−トする。
【００２９】
信号ＦＬＯ１は、正弦波の連続波（ＣＷ波)で、信号ＦＲＦ１に比べて、パワ−レベルが同等以上に大きい信号であることが必要である。つまり、信号ＦＬＯ１は、変調信号波ＦＲＦ１に比べて、帯域幅が狭く特定の周波数であるため、ピ−クパワ−が、極度に大きい信号となる。
【００３０】
この結果、周波数ミキサ１３０１の出力は、信号ＦＬＯ１によって飽和し歪んでしまい、本来伝送すべき信号成分である信号ＦＲＦ１を適切にアップコンバートことができず、十分な伝送距離を確保できないという問題点があった。
【００３１】
それゆえに、本発明の目的は、伝送すべき信号の成分を適切にアップコンバートすることができるミリ波送信モジュール、ミリ波送信装置、およびそのようなミリ波送信装置から送信された信号を受信するミリ波受信装置を提供することである。
【課題を解決するための手段】
【００３２】
上記課題を解決するために、本発明のミリ波送信モジュールは、基準信号を逓倍した逓倍基準信号を生成する逓倍器と、逓倍基準信号に基づいて、基準信号によって周波数変換された中間周波数信号をミリ波帯へアップコンバートするミリ波帯第１ミキサと、逓倍基準信号に基づいて、基準信号をミリ波帯へアップコンバートするミリ波帯第２ミキサと、ミリ波帯第１ミキサおよびミリ波帯第２ミキサでアップコンバ−トされた信号を合成してミリ波多重信号を生成するミリ波帯合成部とを備える。
【００３３】
好ましくは、ミリ波多重信号の下側波帯をイメージ信号として除去するミリ波バンドパスフィルタを備える。
【００３４】
好ましくは、ミリ波帯第１ミキサおよびミリ波帯第２ミキサは、２次の偶高調波ミキサである。
【００３５】
本発明のミリ波送信装置は、基準信号を出力する基準信号源と、基準信号に基づいて、ベースバンド信号を中間周波数信号にアップコンバートするＩＦ帯ミキサと、基準信号源から出力された基準信号を逓倍した逓倍基準信号を生成する逓倍器と、逓倍基準信号に基づいて、中間周波数信号をミリ波帯へアップコンバートするミリ波帯第１ミキサと、逓倍基準信号に基づいて、基準信号源から出力された基準信号をミリ波帯へアップコンバートするミリ波帯第２ミキサと、ミリ波帯第１ミキサおよびミリ波帯第２ミキサでアップコンバ−トされた信号を合成してミリ波多重信号を生成するミリ波帯合成部とを備える。
【００３６】
好ましくは、ミリ波多重信号の下側波帯をイメージ信号として除去するミリ波バンドパスフィルタを備える。
【００３７】
好ましくは、ミリ波帯第１ミキサおよびミリ波帯第２ミキサは、２次の偶高調波ミキサである。
【００３８】
好ましくは、基準信号源から出力された基準信号を増幅し、３分配してＩＦ帯ミキサと、逓倍器と、ミリ波帯第２ミキサへ供給する増幅分配部を備える。
【００３９】
好ましくは、ＩＦ帯ミキサから出力される中間周波数信号の下側波帯を通すＩＦ帯バンドパスフィルタを備える。
【００４０】
本発明のミリ波送信装置は、基準信号を出力する基準信号源と、基準信号に基づいて、第１のベースバンド信号を第１の中間周波数信号にアップコンバートするＩＦ帯第１ミキサと、基準信号に基づいて、第２のベースバンド信号を第２の中間周波数信号にアップコンバートするＩＦ帯第２ミキサと、第１の中間周波数信号および第２の中間周波数信号を合成するＩＦ帯合成部と、基準信号源から出力された基準信号を逓倍した逓倍基準信号を生成する逓倍器と、逓倍基準信号に基づいて、合成された中間周波数信号をミリ波帯へアップコンバートするミリ波帯第１ミキサと、逓倍基準信号に基づいて、基準信号源から出力された基準信号をミリ波帯へアップコンバートするミリ波帯第２ミキサと、ミリ波帯第１ミキサおよびミリ波帯第２ミキサでアップコンバ−トされた信号を合成してミリ波多重信号を生成するミリ波帯合成部とを備える。
【００４１】
好ましくは、ミリ波多重信号の下側波帯をイメージ信号として除去するミリ波バンドパスフィルタを備える。
【００４２】
好ましくは、ミリ波帯第１ミキサおよびミリ波帯第２ミキサは、２次の偶高調波ミキサである。
【００４３】
好ましくは、基準信号源から出力された基準信号を増幅し、４分配して、ＩＦ帯第１ミキサと、逓倍器と、ミリ波帯第２ミキサと、ＩＦ帯第２ミキサへ供給するための複数のアンプを備える。
【００４４】
好ましくは、ＩＦ帯第１ミキサから出力される第１の中間周波数信号の下側波帯を通すＩＦ帯第１バンドパスフィルタと、ＩＦ帯第２ミキサから出力される第２の中間周波数信号の下側波帯を通すＩＦ帯第２バンドパスフィルタとを備える。
【００４５】
本発明のミリ波受信装置は、ミリ波多重信号をダウンコンバートして中間周波数多重信号を生成するミリ波帯ミキサと、中間周波数多重信号から第１の中間周波数信号を出力する第１のフィルタと、中間周波数多重信号から第２の中間周波数信号を出力する第２のフィルタと、中間周波数多重信号から基準信号を出力する第３のフィルタと、基準信号に基づいて、第１の中間周波数信号をダウンコンバートして、第１のベースバンド信号を生成するＩＦ帯第１ミキサと、基準信号に基づいて、第２の中間周波数信号をダウンコンバートして、第２のベースバンド信号を生成するＩＦ帯第２ミキサとを備える。
【発明の効果】
【００４６】
本発明によれば、伝送すべき信号の成分を適切にアップコンバートすることができる。
【図面の簡単な説明】
【００４７】
【図１】第１の実施形態のミリ波送信装置の構成を示す図である。
【図２】第１の変調信号ｂｂ１の周波数スペクトルを表わす図である。
【図３】基準信号ｓｔｄの周波数スペクトルを示す図である。
【図４】第１のＩＦ信号ＩＦ１の周波数スペクトルを表わす図である。
【図５】ミリ波送信信号の周波数スペクトルを示す図である。
【図６】第２の実施形態のミリ波送信装置の構成を示す図である。
【図７】第２の変調信号ｂｂ２の周波数スペクトルを示す図である。
【図８】周波数多重化信号の周波数スペクトルを表わす図である。
【図９】ミリ波送信信号の周波数スペクトルを示す図である。
【図１０】第２の実施形態のミリ波受信装置の構成を表わす図である。
【図１１】ミリ波受信アンテナ５１に入力されるミリ波多重信号の周波数スペクトルを表わす図である。
【図１２】ＩＦ帯多重信号の周波数スペクトルを表わす図である。
【図１３】ＩＦ帯バンドパスフィルタ５６、ＩＦ帯バンドパスフィルタ５４、およびＩＦ帯バンドパスフィルタ５５の特性を表わす図である。
【図１４】基準信号ＩＦｓｔｄの抽出を説明するための図である。
【図１５】第１のＩＦ信号ＩＦ１の抽出を説明するための図である。
【図１６】第２のＩＦ信号ＩＦ２の抽出を説明するための図である。
【図１７】第１のベ−スバンド信号ｂｂ１の周波数スペクトル示す図である。
【図１８】第２のベ−スバンド信号ｂｂ２の周波数スペクトル示す図である。
【図１９】特許文献１に記載されたミリ波帯の無線送信機１０００および無線受信機１５００の構成を示す図である。
【発明を実施するための形態】
【００４８】
以下、本発明の実施形態について、図面を用いて説明する。
（第１の実施形態）
図１は、第１の実施形態のミリ波送信装置の構成を示す図である。
【００４９】
図１を参照して  ミリ波送信装置１は、入力端子５と、ベースバンド回路２と、ＩＦ回路３と、ミリ波ＩＣモジュール４とを備える。
【００５０】
入力端子５から、第１の変調信号ｂｂ１が入力される。
図２は、第１の変調信号ｂｂ１の周波数スペクトルを表わす図である。
【００５１】
図２に示すように、第１の変調信号ｂｂ１の周波数ｆｂｂ１は、４００ＭＨｚ〜８００ＭＨｚ、１０００ＭＨｚ〜２１００ＭＨｚである。第１の変調信号ｂｂ１は、放送波信号であって、ＵＨＦ帯の地上デジタル放送信号とＢＳ／ＣＳ１１０度放送のＩＦ信号が合成された信号に相当する。第１の変調信号ｂｂ１を、以下ではベ−スバンド信号と呼ぶこともある。
【００５２】
尚、ＩＦ帯域の周波数バンドパスフィルタとして、広帯域で急峻性能が高いものを、以下記述するミリ波送信装置とミリ波受信装置で用いれば、第１の変調信号ｂｂ１は、たとえば２００ＭＨｚ〜２５００ＭＨｚの帯域の信号であっても構わない。
【００５３】
ベースバンド信号ｂｂ１は、望ましくはデジタル変調信号の電力レベルの変動の少ない広帯域信号が望ましい。ベ−スバンド信号ｂｂ１は、７５／５０Ω変換部１９１でインピーダンス変換され、ベ−スバンド回路２内のアンプ６で増幅され、さらにリミタ７でレベル制限され、ＩＦ回路３内のＩＦ帯ミキサ８に入力される。
【００５４】
図１において、基準信号源１５から出力される周波数ｆｓｔｄが５．５７３７ＧＨｚである基準信号ｓｔｄが増幅分配部１４で適度なレベルまで増幅された後、３分配される。一つ目は、ＩＦ帯ミキサ８に局部発振信号として送られる。２つ目は、減衰器(Ｔ１）１７でレベル調整された後、ミリ波ＩＣモジュ−ル４の端子１３Ｂからミリ波ＩＣモジュ−ル４中のミリ波帯ミキサ３２ｂに入力される。３つ目は、整合器１６を介して、ミリ波ＩＣモジュ−ル４中のＭ逓倍型マルチプライア（Ｍは２以上の自然数、本実施の形態ではＭ＝５とする）３６へ送られる。
【００５５】
図３は、基準信号ｓｔｄの周波数スペクトルを示す図である。
基準信号ｓｔｄは、周波数ｆｓｔｄが５.５７３ＧＨｚのＣＷ（連続波）信号である。
【００５６】
ＩＦ帯ミキサ８は、ベ−スバンド信号ｂｂ１を、基準信号ｓｔｄ（局部発振信号）によってＩＦ帯にアップコンバートする。ＩＦ帯バンドパスフィルタ(ＢＰＦ）９は、アップコンバートされた信号のうち、下側波帯のみを通過させて、第１のＩＦ信号ＩＦ１を出力する。第１のＩＦ信号ＩＦ１は、ＩＦアンプ１０で増幅され、さらに減衰器（Ｔ２）１１とＩＦアンプ１２によって適宜レベル調整された後、ミリ波ＩＣモジュ−ル４の入力端子１３Ａから、ミリ波ＩＣモジュ−ル４中のミリ波帯ミキサ３２ａに送られる。
【００５７】
図４は、第１のＩＦ信号ＩＦ１の周波数スペクトルを表わす図である。
本実施の形態では、第１のＩＦ信号ＩＦ１の周波数ｆＩＦ１は、下側波帯の信号波３.４７３ＧＨｚ〜４．５７３ＧＨｚ、４．７７３ＧＨｚ〜５.１７３ＧＨｚである。つまり、ＩＦ帯バンドパスフィルタ９ａが、下側帯の信号を選択していることから、第１のＩＦ信号ＩＦ１の周波数ｆＩＦ１は、下記の関係で表現される。
【００５８】
ｆｓｔｄ−ｆｂｂ１＝ｆＩＦ１・・・（１）
Ｍ逓倍型マルチプライア（Ｍは２以上の自然数、本実施の形態ではＭ＝５とする）３６は、基準信号ｓｔｄを５逓倍して、逓倍基準信号ｓｔｄ＿５を出力する。５逓倍された逓倍基準信号ｓｔｄ＿５は、２分配されてそれぞれアンプ３７ａ，３７ｂで増幅されて、局部発振信号としてミリ波帯ミキサ３２ａおよびミリ波帯ミキサ３２ｂへ送られる。
【００５９】
ミリ波帯ミキサ３２ａは、２次の偶高調波ミキサであり、入力された５逓倍された逓倍基準信号ｓｔｄ＿５をさらに２逓倍して逓倍基準信号ｓｔｄ＿１０を生成する。したがって、元の基準信号ｓｔｄはト−タルで１０逓倍される。逓倍基準信号ｓｔｄ＿１０の周波数ＲＦＬＯは、５５．７３ＧＨｚ（１０×５.５７３ＧＨｚ）である。ミリ波帯ミキサ３２ａは、入力端子１３Ａから入力された第１のＩＦ信号ＩＦ１を基準信号ｓｔｄ＿１０によってミリ波帯にアップコンバートして、第１のミリ波変調信号ＲＦ１を出力する。第１のミリ波変調信号ＲＦ１の周波数をｆＲＦ１とする。
【００６０】
ミリ波帯ミキサ３２ｂは、２次の偶高調波ミキサであり、入力された５逓倍された逓倍基準信号ｓｔｄ＿５をさらに２逓倍して逓倍基準信号ｓｔｄ＿１０を生成する。したがって、元の基準信号ｓｔｄはト−タルで１０逓倍される。逓倍基準信号ｓｔｄ＿１０の周波数ＲＦＬＯは、５５．７３ＧＨｚ（＝１０×５.５７３ＧＨｚ）である。ミリ波帯ミキサ３２ｂは、入力端子１３Ｂから入力された基準信号ｓｔｄを逓倍基準信号ｓｔｄ＿１０によってミリ波帯にアップコンバートして、ミリ波基準信号ＲＦｓｔｄを出力する。ミリ波基準信号ＲＦｓｔｄの周波数をｆＲＦｓｔｄとする。
【００６１】
ミリ波帯電力合成器２９は、ミリ波帯ミキサ３２ａでアップコンバ−トされた信号とミリ波帯ミキサ３２ｂでアップコンバートされた信号を合成して、ミリ波帯多重信号を出力する。
【００６２】
ミリ波帯バンドパスフィルタ３３は、ミリ波多重信号の上側波帯を通過させ、下側波帯をイメ−ジ信号として除去する。上側波帯信号は、アンプ３４で増幅された後、ミリ波ＩＣモジュ−ル４と一体化されたアンテナ３５によって、ミリ波送信信号として放射される。
【００６３】
図５は、ミリ波送信信号の周波数スペクトルを示す図である。
ミリ波送信信号は、ミリ波基準信号ＲＦｓｔｄと、第１のミリ波変調信号ＲＦ１で構成され、下記のような関係になる。
【００６４】
＜第１のミリ波変調信号ＲＦ１について＞
ｆＩＦ１＋１０×ｆｓｔｄ＝ｆＲＦ１・・・（２）
式（２）は、式（１）によって以下のように変形される。
【００６５】
１１×ｆｄｔｄ−ｆｂｂ１＝ｆＲＦ１・・・（３）
＜ミリ波基準信号ＲＦｓｔｄについて＞
ｆｓｔｄ＋１０×ｆｓｔｄ＝１１×ｆｓｔｄ＝ｆＲＦｓｔｄ  ・・・（４）
上記のようにミリ波送信装置１内のミリ波基準信号ＲＦｓｔｄ、および第１のミリ波変調信号ＲＦ１の周波数関係は、基準信号ｓｔｄの周波数によってのみ決定される。そのため、ミリ波送信装置１の周波数調整は、基準信号ｓｔｄの周波数ｆｓｔｄを調整すればよく、著しく容易になる。
【００６６】
以上のような構成では、ミリ波ＩＣモジュ−ル４中のミリ波帯ミキサ３２ａには第１のＩＦ信号ＩＦ１が、ミリ波帯ミキサ３２ｂには基準信号ｓｔｄがそれぞれ独立に入力される。ミリ波帯ミキサ３２ａには、飽和領域まで第１のＩＦ信号１Ｆ１を入力することができるため、第１のＩＦ信号の歪が生じないとうメリットがある。
【００６７】
従来では、基準信号のピ−ク信号が、第１のＩＦ信号より極度に大きく、入力されるミリ波帯ミキサは、歪易く、変調信号も十分レベルまで入力することができなかった。とりわけ、入力変調信号が、デジタル変調信号の場合、広帯域で時間的な電力レベル変動が小さく、一方ＣＷ信号の基準信号は周波数１点の狭帯域の信号でレベルが大きくかつピ−クレベルも大きい。このように、基準信号と入力変調信号とは対照的であり、従来のように、同じ１つのミキサで基準信号と入力変調信号を一緒にアップコンバ−トしようとすると、基準信号のピ−ク時の信号は、ＩＦ信号より、略１０ｄＢ以上大きく、入力されるミリ波帯ミキサは、歪易く、本来伝送すべき変調信号は十分レベルまでアップコンバ−トすることができなく、無線周波数帯のミリ波帯で十分な出力を確保することできなかった。
【００６８】
本実施の形態では、ミリ波帯ミキサ３２ａおよびミリ波帯ミキサ３２ｂで独立して周波数アップコンバ−ジョンすることによって、歪が生じにくく、本来伝送すべきミリ波変調信号ＲＦ１を、十分な送信出力まで増強できる。その結果、伝送距離が２倍以上拡大し、歪が小さくなり、良好な受信ＣＮ特性（キャリア対ノイズ特性）を得ることができる。
【００６９】
なお、本実施の形態では、ミリ波帯ミキサ３２ａおよびミリ波帯ミキサ３２ｂの夫々の出力をミリ波帯電力合成器２９で合成したが、ミリ波帯ミキサ３２ａ、ミリ波帯ミキサ３２ｂの直後に、夫々アンプを設けることや、さらに周波数フィルタ等を設けた後に、ミリ波帯電力合成器２９で合成する構成であっても構わない。ＩＣのチップサイズとの兼ね合いで、ミリ波帯ミキサ３２ａおよびミリ波帯ミキサ３２ｂの後の構成は、種々の組み合わせが可能である。
【００７０】
（第２の実施形態）
以下では、主に第１の実施形態と相違するところのみについて説明する。第１の実施形態では、入力信号として第１の変調信号ｂｂ１のみを用いたが、第２の実施形態では、入力信号として、第２の変調信号ｂｂ２が追加されるため、第１の実施形態に第２の変調信号系が追加され、第１の実施形態の構成はそのまま、第２の実施形態に引き継がれる。
【００７１】
図６は、第２の実施形態のミリ波送信装置の構成を示す図である。
本実施の形態のミリ波送信装置１９３は、第１の入力端子５ａと、第２の入力端子５ｂと、基準信号源１５と、第１のベースバンド回路２ａと、第２のベースバンド回路２ｂと、第１のＩＦ回路３８ａと、第２のＩＦ回路３８ｂと、ミリ波ＩＣモジュール４とを備える。
【００７２】
本実施の形態では、ミリ波送信装置１９２には、第１の変調信号ｂｂ１のみならず、第２の入力端子５Ｂから、ベースバンド信号である第２の変調信号ｂｂ２が入力される。第２の変調信号ｂｂ２は、第２のベ−スバンド回路２ｂの７５／５０Ω変換部１９３でインピーダンス変換され、アンプ９６で増幅され、さらにリミタ９７でレベル制限され、第２のＩＦ回路３８ｂのＩＦ帯ミキサ８ｂに送られる。
【００７３】
第１の変調信号ｂｂ１が入力される第１のベースバンド回路２ａの構成は、図１のベースバンド回路２の構成と同様である。
【００７４】
図７は、第２の変調信号ｂｂ２の周波数スペクトルを示す図である。
図７に示すように、第２の変調信号の周波数ｂｂ２は、９００ＭＨＺ〜２０００ＭＨｚである。
【００７５】
第２の変調信号ｂｂ２の周波数ｆｂｂ２は、第１の変調信号ｂｂ１の周波数ｆｂｂ１の周波数帯と重複しても構わない。また、第２の変調信号ｂｂ２の周波数ｆｂｂ２を９００ＭＨｚ〜２０００ＭＨｚとしたが、ＩＦ帯域の周波数バンドパスフィルタとして広帯域で急峻性能が高いものを、ミリ波送信装置とミリ波受信装置で用いれば、たとえば２００ＭＨｚ〜２５００ＭＨｚであっても構わない。第１の変調信号ｂｂ１および第２の変調信号ｂｂ２は、望ましくはデジタル変調信号の電力レベルの変動の少ない広帯域信号が望ましい。
【００７６】
基準信号源１５が出力する基準信号ｓｔｄの周波数ｆｓｔｄは、５.５７３ＧＨｚである。基準信号ｓｔｄは、第１のＩＦ回路３８ａの増幅分配部１４ａと、第２のＩＦ回路３８ｂ内のアンプ１４ｂに送られる。
【００７７】
増幅分配部１４ａは、図１の増幅分配部１４と同様であり、基準信号ｓｔｄを適度なレベルまで増幅して、３分配する。一つ目は、ＩＦ帯ミキサ８ａに局部発振信号として送られる。２つ目は、減衰器(Ｔ１）１７でレベル調整された後、ミリ波ＩＣモジュ−ル４の端子１３Ｂからミリ波ＩＣモジュ−ル４中のミリ波帯ミキサ３２ｂに入力される。３つ目は、整合器１６を介して、ミリ波ＩＣモジュ−ル４中のＭ逓倍型マルチプライア（Ｍは２以上の自然数、本実施の形態ではＭ＝５とする）３６へ送られる。
【００７８】
アンプ１４ｂは、基準信号ｓｔｄを適度なレベルまで増幅して、ＩＦ帯ミキサ８ｂに局部発振信号として送る。
【００７９】
ＩＦ帯ミキサ８ｂは、入力された第２の変調信号ｂｂ２を、入力された基準信号ｓｔｄ（局部発振信号）によって、第２のＩＦ帯にアップコンバートする。
【００８０】
ＩＦ帯バンドパスフィルタ(ＢＰＦ）９ｂは、アップコンバートされた信号のうち、上側波帯のみを通過させて、第２のＩＦ信号ＩＦ２を出力する。第２のＩＦ信号ＩＦ２は、ＩＦアンプ１０ｂで増幅され、減衰器（Ｔ３）１１ｂとＩＦアンプ１２ｂで、適宜レベル調整された後、ＩＦ帯電力合成器３９へ送られる。
【００８１】
ＩＦ帯電力合成器３９は、第１のＩＦ信号ＩＦ１と第２のＩＦ信号ＩＦ２とを合成して、ＩＦ多帯重信号を出力する。
【００８２】
図８は、ＩＦ帯多重信号の周波数スペクトルを表わす図である。
ＩＦ帯多重信号は、ミリ波ＩＣモジュ−ル４の入力端子１３Ａにより、ミリ波帯ミキサ３２ａに送られる。
【００８３】
本実施の形態では、第２のＩＦ信号ＩＦ２の周波数ｆＩＦ２は、上側波帯の信号波６.４７３ＧＨｚ〜７．５７３ＧＨｚの信号である。
【００８４】
つまり、第２のＩＦ信号ＩＦ２の周波数ｆＩＦ２は、下記の関係で表現される。
ｆｓｔｄ＋ｆｂｂ２＝ｆＩＦ２・・・（５）
Ｍ逓倍型マルチプライア（Ｍは２以上の自然数、本実施の形態ではＭ＝５とする）３６は、基準信号ｓｔｄを５逓倍して、逓倍基準信号ｓｔｄ＿５を出力する。５逓倍された逓倍基準信号ｓｔｄ＿５は、２分配されてそれぞれアンプ３７ａ，３７ｂで増幅されて、局部発振信号としてミリ波帯ミキサ３２ａおよびミリ波帯ミキサ３２ｂへ送られる。
【００８５】
ミリ波帯ミキサ３２ａは、２次の偶高調波ミキサであり、入力された５逓倍された基準信号ｓｔｄ＿５をさらに２逓倍して逓倍基準信号ｓｔｄ＿１０を生成する。したがって、元の基準信号ｓｔｄはト−タルで１０逓倍される。逓倍基準信号ｓｔｄ＿１０の周波数ＲＦＬＯは、５５．７３ＧＨｚ（１０×５.５７３ＧＨｚ）である。ミリ波帯ミキサ３２ａは、入力端子１３Ａから入力されたＩＦ多重信号を逓倍基準信号ｓｔｄ＿１０によってミリ波帯にアップコンバートして、第１のミリ波変調信号ＲＦ１と第２のミリ波変調信号ＲＦ２の多重信号を出力する。第２のミリ波変調信号ＲＦ２の周波数をｆＲＦ２とする。
【００８６】
ミリ波帯ミキサ３２ｂは、２次の偶高調波ミキサであり、入力された５逓倍された逓倍基準信号ｓｔｄ＿５をさらに２逓倍して逓倍基準信号ｓｔｄ＿１０を生成する。したがって、元の基準信号ｓｔｄはト−タルで１０逓倍される。逓倍基準信号ｓｔｄ＿１０の周波数ＲＦＬＯは、５５．７３ＧＨｚ（１０×５.５７３ＧＨｚ）である。ミリ波帯ミキサ３２ｂは、入力端子１３Ｂから入力された基準信号ｓｔｄを逓倍基準信号ｓｔｄ＿１０によってミリ波帯にアップコンバートして、ミリ波基準信号ＲＦｓｔｄを出力する。ミリ波基準信号ＲＦｓｔｄの周波数をｆＲＦｓｔｄとする。
【００８７】
ミリ波帯電力合成器２９は、ミリ波帯ミキサ３２ａでアップコンバ−トされた信号とミリ波帯ミキサ３２ｂでアップコンバートされた信号を合成して、ミリ波帯多重信号を出力する。
【００８８】
ミリ波多重信号は、ミリ波帯バンドパスフィルタ３３で、上側波帯を通過し、下側波帯はイメ−ジ信号として除去される。当該上側波帯信号は、アンプ３４で増幅され、ミリ波ＩＣモジュ−ル４と一体化されたアンテナ３５により、送信信号として放射される。
【００８９】
図９は、ミリ波送信信号の周波数スペクトルを示す図である。
ミリ波送信信号は、ミリ波基準信号ＲＦｓｔｄと、第１のミリ波変調信号ＲＦ１と、第２のミリ波編著信号ＲＦ２で構成され、下記のような関係になる。
＜第１のミリ波変調信号ＲＦ１について＞
ｆＩＦ１＋１０×ｆｓｔｄ＝ｆＲＦ１・・・（６）
式（６）は、式（１）によって以下のように変形される。
【００９０】
１１×ｆｓｔｄ−ｆｂｂ１＝ｆＲＦ１・・・（７）
＜第２のミリ波変調信号ＲＦ２について＞
ｆＩＦ２＋１０×ｆｓｔｄ＝ｆＲＦ２・・・（８）
式（８）は、式（５）によって以下のように変形される。
【００９１】
１１×ｆｓｔｄ＋ｆｂｂ２＝ｆＲＦ２・・・（９）
＜ミリ波基準信号ＲＦｓｔｄについて＞
ｆｓｔｄ＋１０×ｆｓｔｄ＝１１×ｆｓｔｄ  ＝ｆＲＦｓｔｄ  ・・・（１０）
上記のようにミリ波送信装置１９２内のミリ波基準信号ＲＦｓｔｄ  第１のミリ波変調信号ＲＦ１、および第２のミリ波変調信号ＲＦ２の周波数関係は、基準信号ｓｔｄの周波数ｆｓｔｄによってのみ決定される。そのため、ミリ波送信装置１９２の周波数調整は、基準信号ｓｔｄの周波数ｆｓｔｄの周波数を調整すればよく、著しく容易になる。
【００９２】
以上のような構成では、ミリ波ＩＣモジュ−ル中のミリ波帯ミキサ３２ａには、第１のＩＦ信号ＩＦ１と第２のＩＦ信号ＩＦ２が、ミリ波帯ミキサ３２ｂには、基準信号ｓｔｄが、夫々独立に入力される。そのため、ミリ波帯ミキサ３２ａは、飽和領域まで信号を入力することができるとともに、基準信号ｓｔｄが、ミリ波帯ミキサ３２ｂだけに入力されるため、第１のＩＦ信号ＩＦ１および第２のＩＦ信号ＩＦ２の歪が生じない。加えて、ミリ波帯ミキサ３２ａには、ＩＦ変調信号のみしか入力しないため、第２の変調信号ｂｂ２も、周波数帯域を、２倍程度に広帯域化しても歪が少なく、良好な受信ＣＮ特性と伝送距離が拡大する。つまり、従来まで、基準信号のピ−ク信号が、第１及び第２のＩＦ信号よりも極度に大きく、入力されるミリ波帯ミキサは、歪易く、変調信号も十分レベルまで入力することができなかった。  
【００９３】
本実施の形態では、ミリ波帯ミキサ３２ａおよびミリ波帯ミキサ３２ｂでそれぞれ独立して周波数アップコンバ−ジョンすることにより、歪が生じ難く、本来伝送すべきミリ波変調信号ＲＦ１及びＲＦ２が、十分な送信出力まで増強できる。その結果、伝送距離が２倍以上拡大し、歪が小さくなり、良好な受信ＣＮ特性（キャリア対ノイズ特性）を得ることができるのみならず、ミリ波帯で広帯域化することが可能となり伝送帯域幅が拡張でき伝送容量および伝送速度を増大することができる。
【００９４】
とりわけ第１及び第２の入力変調信号が、デジタル変調信号の場合、広帯域で電力レベル変動が小さく、一方ＣＷ信号の基準信号は周波数１点の狭帯域の信号でレベルが大きくかつピ−クレベルも大きい。このように、基準信号と２つの入力変調信号とは対照的であり、従来のように、同じ１つのミキサで基準信号と２つの入力変調信号を一緒にアップコンバ−トしようとすると、基準信号のピ−ク信号は、第１および第２のＩＦ信号よりも、１０ｄＢ程度大きく、入力されるミリ波帯ミキサは、歪易く、本来伝送すべき変調信号は十分レベルまでアップコンバ−トすることができなかった。
【００９５】
本実施の形態では、これらの信号を無線周波数帯のミリ波帯へのアップコンバ−ト時、に、ミリ波帯ミキサ３２ａおよびミリ波帯ミキサ３２ｂで独立にアップコンバ−トできるため、変調波信号は歪が少なく良好なミリ波帯へのアップコンバ−トが可能である。
【００９６】
（受信装置）
次に、本実施の形態のミリ波送信装置１９３からの信号を受信するミリ波受信装置について説明する。
【００９７】
図１０は、第２の実施形態のミリ波受信装置の構成を表わす図である。
なお、本実施の形態では、Ｎ逓倍器＋バッファアンプ４５は、Ｎ＝３として説明する。
【００９８】
図１０を参照して、このミリ波受信装置４０は、ミリ波受信アンテナ５１と、ＤＲＯ型発振器４８と、アンプ４７と、整合器４６と、ミリ波ＩＣモジュール４１と、ＩＦ回路４２と、ベースバンド回路４３とを備える。
【００９９】
ベースバンド回路４３で復調された映像多重信号は、同軸ケ−ブルで、ＴＶ９２や録画機９３等の電子機器に接続される。なお、ＴＶ９２や録画機９３からは、チャンネル切り替えるための制御信号９４が出力される。
【０１００】
ミリ波受信アンテナ５１から入力されたミリ波多重信号は、ミリ波ＩＣモジュール４１のミリ波アンプ５０で増幅され、ミリ波バンドパスフィルタ４９で不要波が抑圧され、ミリ波帯ミキサ４４（第１の周波数ダウンコンバ−タ）に送られる。  
【０１０１】
図１１は、ミリ波受信アンテナ５１に入力されるミリ波多重信号の周波数スペクトルを表わす図である。
【０１０２】
ミリ波多重信号は、周波数がｆＲＦ１の第１のミリ波変調信号ＲＦ１と、周波数がｆＲＦ２である第２のミリ波変調信号ＲＦ２と、周波数がｆＲＦｓｔｄあるミリ波基準信号ＲＦｓｔｄが合成された信号である。
【０１０３】
ＤＲＯ型発振器４８が、周波数がｆｒｌｏ（＝９.２６６ＧＨｚ）の局部発振信号を発生し、アンプ４７および整合器４６を介して、Ｎ逓倍器＋バッファアンプ４５に送られる。
【０１０４】
Ｎ逓倍器＋バッファアンプ４５は、入力された局部発振信号の周波数を３逓倍して、２７．７９８ＧＨｚの信号を生成し、さらにこの信号を増幅して、ミリ波帯ミキサ４４に出力する。
【０１０５】
ミリ波帯ミキサ４４は、２次高調波型ミキサ（たとえばアンチパラレルダイオ−ドペアを用いた偶高調波ミキサ）を用いており、入力された３逓倍された信号をさらに２逓倍して５５.５９６ＧＨｚの信号を生成する。ミリ波帯ミキサ４４は、この５５.５９６ＧＨｚの信号によって、ミリ波バンドパスフィルタ４９から出力されたミリ波多重信号を周波数ダウンコンバ−トして（第１の周波数ダウンコンバート）、ＩＦ帯多重信号を生成する。
【０１０６】
図１２は、ＩＦ帯多重信号の周波数スペクトルを表わす図である。
ＩＦ帯多重信号は、周波数がｆＩＦ１である第１のＩＦ信号ＩＦ１と、周波数がｆＩＦ２である第２のＩＦ信号ＩＦ２と、周波数がｆＩＦｓｔｄである基準信号ＩＦｓｔｄとが合成された信号である。
【０１０７】
ＩＦ多重信号は、ＩＦアンプ５２で増幅され、３分配器５３で３分配されて、ＩＦ帯バンドパスフィルタ５６、ＩＦ帯バンドパスフィルタ５４、およびＩＦ帯バンドパスフィルタ５５に送られる。
【０１０８】
図１３は、ＩＦ帯バンドパスフィルタ５６、ＩＦ帯バンドパスフィルタ５４、およびＩＦ帯バンドパスフィルタ５５の特性を表わす図である。
【０１０９】
ＩＦ帯バンドパスフィルタ５６は、ＩＦ多重信号から基準信号ＩＦｓｔｄを抽出する。図１３および図１４に示すように、フィルタ特性１５０の通過特性をもつＩＦ帯バンドパスフィルタ５６によって基準信号ＩＦｓｔｄが抽出される。抽出された基準信号ＩＦｓｔｄは、２分配器６５で２分配されて、アンプ６１とアンプ６２に送られて、それぞれ増幅された後、ＩＦ帯ミキサ６３、ＩＦ帯ミキサ６４に局部発振信号として送られる。
【０１１０】
ＩＦ帯バンドパスフィルタ５４は、ＩＦ多重信号から第１のＩＦ信号ＩＦ１を抽出する。図１３および図１５に示すように、フィルタ特性１５１の通過特性をもつＩＦ帯バンドパスフィルタ５４によって第１のＩＦ信号ＩＦ１が抽出される。第１のＩＦ信号ＩＦ１は、ＩＦアンプ５７で増幅され、さらに減衰器(Ｔ４)５９で適宜レベル調整されて、ＩＦ帯ミキサ６３に送られる。
【０１１１】
ＩＦ帯バンドパスフィルタ５５は、ＩＦ多重信号から第２のＩＦ信号ＩＦ２を抽出する。図１３および図１６に示すように、フィルタ特性１５２の通過特性をもつＩＦ帯バンドパスフィルタ５５によって第２のＩＦ信号ＩＦ２が抽出される。第２のＩＦ信号ＩＦ２は、ＩＦアンプ５８で増幅され、さらに減衰器(Ｔ５)６０で適宜レベル調整されて、ＩＦ帯ミキサ６４に送られる。
【０１１２】
ＩＦ帯ミキサ６３は、第１のＩＦ信号ＩＦ１を基準信号ＩＦｓｔｄで第２の周波数ダウンコンバ−トして、周波数ｆｂｂ１の第１のベースバンド信号ｂｂ１を生成する。
【０１１３】
ＩＦ帯ミキサ６４は、第２のＩＦ信号ＩＦ２を基準信号ＩＦｓｔｄで第３の周波数ダウンコンバ−トして、周波数ｆｂｂ２の第２のベ−スンバンド信号ｂｂ２を生成する。
【０１１４】
図１７は、第１のベ−スバンド信号ｂｂ１の周波数スペクトル示す図である。第１のベースバンド信号ｂｂ１は、図２に示す第１の変調信号ｂｂ１と、周波数、周波数安定度や位相雑音特性は同等な信号である。
【０１１５】
図１８は、第２のベ−スバンド信号ｂｂ２の周波数スペクトルを示す図である。第２のベ−スバンド信号ｂｂ２は、図７に示す第２の変調信号ｂｂ２と、周波数、周波数安定度や位相雑音特性は同等な信号である。
【０１１６】
上述の処理において、周波数関係は以下のように表わされる。
＜第１のミリ波変調信号ＲＦ１の第１のダウンコンバ−ト＞
ｆＲＦ１−６×ｆｒｌｏ＝ｆＩＦ１・・・（１１）
式（１１）は、式（７）によって以下のように変形できる。
（１１×ｆｓｔｄ−ｆｂｂ１）−６×ｆｒｌｏ＝ｆＩＦ１・・・（１２）
＜第２のミリ波変調信号ＲＦ２の第１のダウンコンバート＞  
ｆＲＦ２−６×ｆｒｌｏ＝ｆＩＦ２・・・（１３）
式（１３）は、式（９）によって以下のように変形できる。
（１１×ｆｓｔｄ＋ｆｂｂ２）−６×ｆｒｌｏ＝ｆＩＦ２・・・（１４）
＜ミリ波基準信号ＲＦｓｔｄの第１のダウンコンバート＞
ｆＲＦｓｔｄ−６×ｆｒｌｏ＝ｆＩＦｓｔｄ・・・（１５）
式（１５）は、式（１０）によって以下のように変形できる。
【０１１７】
１１×ｆｓｔｄ−６×ｆｒｌｏ＝ｆＩＦｓｔｄ・・・（１６）
＜第１のＩＦ信号ＩＦ１の第２のダウンコンバート＞
第２のダウンコンバ−トは、ｆＩＦｓｔｄ＞ｆＩＦ１の関係によって、以下のように表わされる。
【０１１８】
ｆＩＦｓｔｄ−ｆＩＦ１＝ｆｂｂ１・・・（１７）
＜第２のＩＦ信号ＩＦ２の第３のダウンコンバート＞
第３のダウンコンバ−トは、ｆＩＦｓｔｄ＜ｆＩＦ２の関係によって、以下のように表わされる。
【０１１９】
ｆＩＦ２−ｆＩＦｓｔｄ＝ｆｂｂ２・・・（１８）
この関係から明らかなように、ミリ波受信装置４０か出力される第１のベースバンド信号ｂｂ１及び第２のベースバンド信号ｂｂ２は、ミリ波送信装置１９３の第１の入力信号であるｂｂ１、第２の入力信号であるｂｂ２となり、周波数、周波数安定度や位相雑音特性は送信入力信号と同等な信号が生成される。
【０１２０】
図１０に示すミリ波受信装置４０においては、ベ−スバンド回路４３では、生成された第１のベースバンド信号ｂｂ１、第２のベースバンド信号ｂｂ２は、夫々減衰器７３、減衰器７０、及びフィルタ７４、７１及びアンプ７５、７２でレベル調整と不要波信号が除去された後、スイッチ７６に入力される。ＴＶ９２や録画機９３からは、チャンネル切り替えるための制御信号９４により、受信装置４０中のスイッチＳＷ７６で選択され、出力される。
【０１２１】
上述のミリ波受信装置４０では、第２の実施形態のミリ波送信装置１９２の信号を受信する受信装置として説明したが、第１の実施形態のミリ波送信装置１の信号を受信する受信装置としてもでもそのまま使用することができることができる。さらに、ＩＦ回路４２のＩＦ帯バンドパスフィルタ５４、５５、５６の通過特性を適宜変更することにより、受信感度のより高い第１の実施の形態専用の受信装置とすることも可能である。
【０１２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２３】
１，１９２  ミリ波送信装置、２，２ａ，２ｂ，４３  ベースバンド回路、３，３８ａ，３８ｂ，４２  ＩＦ回路、４，４１  ミリ波ＩＣモジュール、６，１０，１０ａ，１０ｂ，１２，１２ａ，１２ｂ，１４ｂ，９６，３７ａ，３７ｂ，３４，５０，５２，５７，５８，６１，６２，７５  アンプ、７，９７  リミタ、８，８ａ，８ｂ，３２ａ，３２ｂ，４４，６３，６４  ミキサ、９，９ａ，９ｂ，３３，４９，５４，５５，５６，７１，７４  バンドパスフィルタ、１３Ａ，１３Ｂ，１３Ｃ  端子、１４，１４ａ  増幅分配部、１５  基準信号源、１６，４６  整合器、１１，１１ａ，１１ｂ，１７，１７ａ，７０，７３  減衰器、２９，３９  電力合成器、３５，５１  アンテナ、３６  Ｍ逓倍型マルチプライア、４０  ミリ波受信装置、４５  Ｎ逓倍器＋バッファアンプ、４８  ＤＲＯ型発振器、７６  スイッチ、１９１，１９３  ７５／５０Ω変換部。
【図１】
2014022812.tif 000003
【図２】
2014022812.tif 000004
【図３】
2014022812.tif 000005
【図４】
2014022812.tif 000006
【図５】
2014022812.tif 000007
【図６】
2014022812.tif 000008
【図７】
2014022812.tif 000009
【図８】
2014022812.tif 000010
【図９】
2014022812.tif 000011
【図１０】
2014022812.tif 000012
【図１１】
2014022812.tif 000013
【図１２】
2014022812.tif 000014
【図１３】
2014022812.tif 000015
【図１４】
2014022812.tif 000016
【図１５】
2014022812.tif 000017
【図１６】
2014022812.tif 000018
【図１７】
2014022812.tif 000019
【図１８】
2014022812.tif 000020
【図１９】
2014022812.tif 000021